(57)【特許請求の範囲】
【請求項１】
並列に配置され、各々が流体を吸入する吸入部、及び、流体を吐出する吐出部を有する３台以上のポンプ部と、
前記複数のポンプ部の各々が有する前記吸入部同士を接続する吸入側流路部と、
前記複数のポンプ部の各々が有する前記吐出部同士を接続する吐出側流路部と、を備え、
前記複数のポンプ部の各々は、
吸入する流体の流通の許容及び遮断を行う吸入弁、及び、吐出する流体の流通の許容及び遮断を行う吐出弁と、
前記吸入弁及び前記吐出弁の各々を外部から開放操作できる操作部と、を備え、
前記吸入側流路部及び前記吐出側流路部のうち、前記並列する２台の前記ポンプ部に挟まれた、隣り合う前記吸入部または前記吐出部の間に位置するものは管軸方向に伸縮する往復動ポンプ。
【請求項２】
前記吸入側流路部または前記吐出側流路部は、前記複数のポンプ部のうち、隣り合う前記吸入部または前記吐出部の間で、
管軸方向の一方側に位置する一方側配管と、
管軸方向の他方側に位置する他方側配管と、
前記一方側配管と前記他方側配管とに亘って設けられたストッパーと、を備え、
前記一方側配管と前記他方側配管とは、管軸方向の一部範囲で重複しており、
前記重複した部分では、前記一方側配管の内径よりも前記他方側配管の外径が小さく形成されたことで、前記一方側配管と前記他方側配管とを管軸方向にスライド移動でき、
前記ストッパーは、
前記一方側配管の端部に管軸方向で隣接する固定片と、
前記一方側配管の端部と前記固定片との間に挟まれ、流体の管外への漏れを阻止するシール部と、
前記一方側配管の端部及び前記固定片の径外に配置され、前記一方側配管の端部と前記固定片との隙間を圧縮する締め具と、を備える、請求項１に記載の往復動ポンプ。
【請求項３】
前記操作部と前記吸入弁及び前記吐出弁の各々とを結ぶ線が、前記吸入側流路部及び前記吐出側流路部の管軸方向に沿う線に対して交差している、請求項１または２に記載の往復動ポンプ。
【発明の詳細な説明】
【技術分野】
【０００１】
本発明は、部材を往復動させることでポンプ室の容積変化を起こすことにより送液を行う往復動ポンプに関するものである。
【背景技術】
【０００２】
往復動ポンプの一例が特許文献１に記載されている。特許文献１に記載の往復動ポンプ（ダイヤフラムポンプ）では、２個のポンプ室が正面視で左右に並列して設けられている。左右のポンプ室には、流体（液体）をポンプ室に流入させるための吸込部、及び、ポンプ室から流出する流体を通す吐出部が接続されている。吸込部及び吐出部の各々は、１本の流路を有している。
【先行技術文献】
【特許文献】
【０００３】
【特許文献１】特開２０１６−７９８３７号公報
【発明の概要】
【発明が解決しようとする課題】
【０００４】
ところで、ポンプの容量がさほど大きくない場合には、メンテナンス時にポンプ室内に残留している残液処理は、バケツ等で残液を受けることで対応できていた。一方、ポンプ大容量化のニーズがあり、これに対応した大容量のポンプでは、メンテナンス時にポンプ室内に存在する残液が小容量のものに比べて多くなることから、従来のようにバケツ等で受けることが難しくなるので、残液処理に留意が必要である。
【０００５】
また、例えばポンプ室を分解整備する等のメンテナンスを行う際、場合によっては複数のポンプ室のうち全部ではなく一部（例えば１個）を対象としたいことがある。しかし、特許文献１に記載の吸込部及び吐出部は、複数（具体的には２個）のポンプ室に対して固定的に接続されており、複数のポンプ室に流入、流出する流体は吸込部及び吐出部に集約して流れるよう構成されていたため、一部のポンプ室だけメンテナンスを行う際でも、吸込部及び吐出部を全部取り外す必要があった。よって、ポンプ室を含む部分であるポンプ部におけるメンテナンス性に改良の余地があった。
【０００６】
そこで本発明は、メンテナンスを行う際に残液処理を行いやすく、かつ、複数のポンプ部のうち一部に対してメンテナンスを行うことが容易な往復動ポンプを提供することを課題とする。
【課題を解決するための手段】
【０００７】
本発明は、並列に配置され、各々が流体を吸入する吸入部、及び、流体を吐出する吐出部を有する３台以上のポンプ部と、前記複数のポンプ部の各々が有する前記吸入部同士を接続する吸入側流路部と、前記複数のポンプ部の各々が有する前記吐出部同士を接続する吐出側流路部と、を備え、前記複数のポンプ部の各々は、吸入する流体の流通の許容及び遮断を行う吸入弁、及び、吐出する流体の流通の許容及び遮断を行う吐出弁と、前記吸入弁及び前記吐出弁の各々を外部から開放操作できる操作部と、を備え、前記吸入側流路部及び前記吐出側流路部のうち、前記並列する２台の前記ポンプ部に挟まれた、隣り合う前記吸入部または前記吐出部の間に位置するものは管軸方向に伸縮する往復動ポンプである。
【０００８】
この構成によれば、吸入弁及び吐出弁の各々を外部から開放操作できるため、操作部を操作することで、ポンプ部の内部にある残液を、開放させた吸入弁または吐出弁を介して吸入側流路部または吐出側流路部に流すことができる。そして、吸入側流路部及び吐出側流路部が管軸方向に伸縮するため、各流路部を短縮させることで、複数のポンプ部のうち一部だけを他のポンプ部から切り離してメンテナンスを行うことができる。
【０００９】
そして、前記吸入側流路部または前記吐出側流路部は、前記複数のポンプ部のうち、隣り合う前記吸入部または前記吐出部の間で、管軸方向の一方側に位置する一方側配管と、管軸方向の他方側に位置する他方側配管と、前記一方側配管と前記他方側配管とに亘って設けられたストッパーと、を備え、前記一方側配管と前記他方側配管とは、管軸方向の一部範囲で重複しており、前記重複した部分では、前記一方側配管の内径よりも前記他方側配管の外径が小さく形成されたことで、前記一方側配管と前記他方側配管とを管軸方向にスライド移動でき、前記ストッパーは、前記一方側配管の端部に管軸方向で隣接する固定片と、前記一方側配管の端部と前記固定片との間に挟まれ、流体の管外への漏れを阻止するシール部と、前記一方側配管の端部及び前記固定片の径外に配置され、前記一方側配管の端部と前記固定片との隙間を圧縮する締め具と、を備えるものとできる。
【００１０】
この構成によれば、一方側配管と他方側配管とは、管軸方向の一部範囲で重複していて、一方側配管と他方側配管とが相互に、管軸方向にスライド移動できる。そしてストッパーが、固定片、シール部、締め具から構成される。このため、吸入側流路部及び吐出側流路部が管軸方向に伸縮する構成を単純化できる。
【００１１】
そして、前記操作部と前記吸入弁及び前記吐出弁の各々とを結ぶ線が、前記吸入側流路部及び前記吐出側流路部の管軸方向に沿う線に対して交差しているものとできる。
【００１２】
この構成によれば、操作部と吸入弁及び吐出弁の各々とを結ぶ線が、吸入側流路部及び吐出側流路部の管軸方向に沿う線に対して交差している。このため、吸入側流路部及び吐出側流路部の管軸方向に沿う線から離れた位置で操作部を操作できる。よって、作業性が良い。
【発明の効果】
【００１３】
本発明によると、操作部の操作により、ポンプ部の内部にある残液を、開放させた吸入弁または吐出弁を介して吸入側流路部または吐出側流路部に流すことができる。よって、メンテナンスを行う際に残液処理を行いやすい。そして、複数のポンプ部のうち一部だけを他のポンプ部から切り離してメンテナンスを行うことができる。よって、複数のポンプ部のうち一部に対してメンテナンスを行うことが容易である。
【図面の簡単な説明】
【００１４】
【図１】本発明の一実施形態に係る往復動ポンプを示す正面図である。
【図２】前記往復動ポンプを示す平面図である。
【図３】前記往復動ポンプのうちポンプ部を示す、正面及び平面側の斜視図である。
【図４】前記ポンプ部を示す、正面及び底面側の斜視図である。
【図５】前記ポンプ部の縦断面図である。
【図６】前記往復動ポンプにおける吐出側流路部を示す断面図である。
【発明を実施するための形態】
【００１５】
本発明につき、一実施形態を取り上げて、図面とともに以下説明を行う。なお、以下説明における上下方向、左右方向は図１に示す方向に対応する。また、前後方向は、正面方向を前方とし、背面方向を後方とする。
【００１６】
本実施形態の往復動ポンプ１（以下「ポンプ」と表記する）はダイヤフラムポンプである。本実施形態のポンプ１が扱う流体は液体である。このポンプ１は、図１及び図２に示すように、駆動力を発生及び伝達するための本体部２と、本体部２の正面側（前側）に位置し、送液を行うポンプ部３（ポンプヘッドとも言う）を備える。また、ポンプ部３には吸入側流路部４及び吐出側流路部５が接続されている。本実施形態では、１台の本体部２における正面側に、複数（本実施形態では３台）のポンプ部３が並列に配置されている。
【００１７】
本体部２は、駆動源であるモータ２１を１台備える。本体部２において、図示しない内部の伝達機構によって、モータ２１の駆動力が変速及びタイミング調整されつつ複数系統（本実施形態では３系統）に分かれて伝達される。この駆動力により、本体部２の正面側に配置された複数のポンプシャフト２２…２２（図５参照）が前後方向に往復動する。複数のポンプシャフト２２…２２は、ポンプ部３による送液の脈動を均一化する目的で、それぞれ往復動のタイミングがずらされている。
【００１８】
複数のポンプ部３…３の各々は、図３〜図５に示すように、送液を行うポンプ室３１と、流体をポンプ室３１に吸入する吸入部３２、及び、流体をポンプ室３１から吐出する吐出部３３を有する。
【００１９】
ポンプ室３１には、軟質樹脂等の変形可能な材料から形成された、円盤状等の略板状であるダイヤフラム３１１が設けられている。ダイヤフラム３１１の外周部は本体部２の正面とポンプ室３１の背面とで液密に挟まれる。ダイヤフラム３１１は、本体部２におけるポンプシャフト２２に接続されていて、ポンプシャフト２２に接続された接続部３１１１（円盤状のダイヤフラム３１１では径方向中央部に位置する）が、ポンプシャフト２２の往復動に連動して厚み方向（前後方向）に移動する。ダイヤフラム３１１が後方に移動した際はポンプ室３１における内部空間３１Ｓの容積が大きくなるので、吸入部３２から流体がポンプ室３１に流入する。一方、ダイヤフラム３１１が前方に移動した際はポンプ室３１における内部空間３１Ｓの容積が小さくなるので、吐出部３３へと流体がポンプ室３１から流出する。
【００２０】
吸入部３２は、ポンプ室３１へ向かい吸入する流体の流通の許容及び遮断を行う吸入弁３２１を備える。吸入部３２の左右には、吸入側流路部４が接続されている。吸入側流路部４は、複数のポンプ部３…３の各々が有する、隣り合う吸入部３２，３２同士を接続する配管である。図１に示すように、ポンプ１に接続された、流体をポンプ１に供給する外部配管（図示しない）から流入した流体は端部配管４３から吸入側流路部４に入り、吸入側流路部４において右方から左方に流れる。左方のポンプ部３における吸入部３２から更に左方に突出した固定管４１の端部は、端板が取り付けられることで閉鎖されている。なお、吸入側流路部４における流体の流れ方向を左右逆にすることもでき、その場合、端部配管４３及び固定管４１の端部閉鎖は左右逆の位置となる。
【００２１】
吐出部３３は、ポンプ室３１から吐出する流体の流通の許容及び遮断を行う吐出弁３３１を備える。吐出部３３の左右には、吐出側流路部５が接続されている。吐出側流路部５は、複数のポンプ部３…３の各々が有する、隣り合う吐出部３３，３３同士を接続する配管である。図１に示すように、吐出側流路部５において流体は右方から左方に流れ、端部配管５３からポンプ１に接続された外部配管（図示しない）に流出する。右方のポンプ部３における吐出部３３から更に右方に突出した固定管５１の端部は、端板が取り付けられることで閉鎖されている。なお、吐出側流路部５における流体の流れ方向を左右逆にすることもでき、その場合、端部配管５３及び固定管５１の端部閉鎖は左右逆の位置となる。
【００２２】
図５に示すように、吸入弁３２１及び吐出弁３３１にはディスク弁が用いられている。ディスク弁は円盤状の弁体３２１１，３３１１を有している。この弁体３２１１，３３１１の外周縁部（図示にてテーパが設けられた部分）が吸入部３２及び吐出部３３に設けられた環状の弁座３２１２，３３１２に対して当接することで、吸入弁３２１及び吐出弁３３１の流路が閉鎖され、流体の流通が遮断される。吸入弁３２１は常時、ポンプ室３１とは反対方向（下方）に付勢されている。吐出弁３３１は常時、ポンプ室３１の方向（下方）に付勢されている。流体が弁体３２１１，３３１１を押す力が弁体３２１１，３３１１に働く付勢力を超えた場合には、弁体３２１１，３３１１が弁座３２１２，３３１２から離れることで、吸入弁３２１及び吐出弁３３１の流路が開放されて、流体の流通が許容される。
【００２３】
弁体３２１１，３３１１には、ポンプ室３１と反対側に延びる直棒状の弁棒３２１３，３３１３が接続されている。弁棒３２１３，３３１３の一部は有底の円筒状体である仕切部３２１４，３３１４に囲まれている。弁棒３２１３，３３１３は仕切部３２１４，３３１４の端部を貫通していて、貫通した部分にはシール部３２１５，３３１５が設けられたことで、弁棒３２１３，３３１３の軸方向において液密にシールされている。本実施形態のシール部３２１５，３３１５には略円盤状のダイヤフラムが用いられている。ダイヤフラムの外周部が仕切部３２１４，３３１４に固定され、中央部が弁棒３２１３，３３１３に追従して上下方向に移動する。弁棒３２１３，３３１３は、弁体３２１１，３３１１の開閉に伴い軸方向（上下方向）に往復動する。このように構成することで、弁棒３２１３，３３１３の外周部における仕切部３２１４，３３１４の側に対する摺動部分を、ポンプ１が扱う流体から隔絶させることができる。このため、例えばポペット弁と対比すると、流体に微粒子が混入していたとしても、その微粒子により弁棒３２１３，３３１３が異常に摩耗してしまうことを防止できる。また、後述のように操作部３２２，３３２により吸入弁３２１及び吐出弁３３１の各々を外部から開放操作する際に、操作部３２２，３３２の箇所から流体が漏れ出ないようにできる。また、吸入弁３２１及び吐出弁３３１において流体が触れる箇所を減少できる。このため、吸入弁３２１及び吐出弁３３１を通過する流体に与える影響も小さくできる。
【００２４】
吸入部３２及び吐出部３３は、各部の内部にある吸入弁３２１及び吐出弁３３１の各々を外部から開放操作できる操作部３２２，３３２を備える。各ポンプ部３において、二つの操作部３２２，３３２を備える。
【００２５】
吸入部３２における操作部３２２は、弁棒３２１３の下端を上方に押すことのできる短い棒状のピン３２２１である。ピン３２２１は、弁棒３２１３の下方への延長線上に位置する。ピン３２２１は弁棒３２１３とは別体である。ピン３２２１の一部は吸入部３２の下端面から露出している。この露出したピン３２２１の一部は、通常はカバー３２２２に覆われていて、このカバー３２２２はピン３２２１を使用する際に取り外される。ピン３２２１を吸入部３２の外部から押し込むことにより、ピン３２２１を弁棒３２１３に当接させることで弁体３２１１を上方に移動させて吸入弁３２１を開放できる。これにより、ポンプ室３１の内部に残留している流体（残液）を吸入部３２に落下させ、吸入部３２を通して吸入側流路部４に排出できる。
【００２６】
吐出部３３における操作部３３２は、弁棒３３１３の上端を上方に引き上げることのできる係合部３３２１である。係合部３３２１は弁棒３３１３の上端に形成されているので、吐出部３３の内部に位置している。吐出部３３の、係合部３３２１の上方には貫通穴３３２２が設けられている。係合部３３２１及び貫通穴３３２２は、弁棒３３１３の上方への延長線上に位置する。この貫通穴３３２２に吐出部３３とは別体の引き上げ棒（図示しない）を挿入する。引き上げ棒の下端は係合部３３２１に係合できるように構成されている。例えば係合部３３２１が弁棒３３１３の上端に設けられたねじ穴である場合、引き上げ棒の下端には前記ねじ穴に対してねじ込むことのできるねじ山が形成されている。引き上げ棒を弁棒３３１３に係合させた状態で引き上げ棒を上方に移動させることで、吐出弁３３１の弁体３３１１を下方に移動させて吐出弁３３１を開放できる。これにより、吐出弁３３１の上方に残留している残液を、ポンプ室３１に移動させることができる。そして、前述のように吸入部３２における流体の流路を開放することで、残液を吸入部３２を介して吸入側流路部４に排出できる。あるいは、ポンプ室３１の内部に残留している残液の一部を、吐出部３３から直接吐出側流路部５に排出できる。
【００２７】
吐出部３３に設けられた、引き上げ棒を挿入するための貫通穴３３２２は、本実施形態ではねじ穴となっていて、通常はボルト３３２３が取り付けられて塞がれている。このボルト３３２３は、引き上げ棒を挿入する際には取り外され、貫通穴３３２２が露出される。なお、貫通穴３３２２を塞ぐための手段はボルト３３２３に限定されず、種々に変更できる。
【００２８】
このように、作業者が外部から各操作部３２２，３３２を操作して、吸入弁３２１及び吐出弁３３１を開放することで、大部分の残液を、吸入側流路部４または吐出側流路部５を介してポンプ１の外部に移動させられるため、メンテナンスの際ポンプ部３を本体部２から取り外したり、ポンプ室３１を分解したりしても、多量の残液がポンプ１の外部に降り注がれる事態を抑制でき、例えばポンプ１の周囲が汚染されることがない。
【００２９】
また、各操作部３２２，３３２と吸入弁３２１及び吐出弁３３１の各々とを結ぶ線３Ｌ（仮想の線）が、吸入側流路部４及び吐出側流路部５の管軸方向に沿う線（仮想の線）４Ｌ，５Ｌに対して交差している。本実施形態では、各操作部３２２，３３２と吸入弁３２１及び吐出弁３３１の各々とを結ぶ線３Ｌが垂直方向の線であり、吸入側流路部４及び吐出側流路部５の管軸方向に沿う線４Ｌ，５Ｌが水平方向（左右方向）であるから直交している。なお、前後方向では、各線３Ｌ，４Ｌ，５Ｌは一致している。このような位置関係とされたことにより、吸入側流路部４及び吐出側流路部５の管軸方向に沿う線４Ｌ，５Ｌから離れた位置で作業者が各操作部３２２，３３２を操作できる。よって、作業者の手が吸入側流路部４及び吐出側流路部５に干渉しにくく、各操作部３２２，３３２の作業性が良い。
【００３０】
次に、吸入側流路部４及び吐出側流路部５のうち、特に並列する２台のポンプ部３，３に挟まれた、隣り合う吸入部３２，３２または吐出部３３，３３の間に位置する吸入側流路部４及び吐出側流路部５については、管軸方向に伸縮するよう構成されている。
【００３１】
各流路部４，５は、吸入部３２または吐出部３３に対して固定的に設けられた固定管４１，５１と、軸方向に並ぶ２本の固定管４１，５１の間に設けられた伸縮管４２，５２とを備えている。本実施形態では、固定管４１，５１と伸縮管４２，５２とは、各管の端部に設けられた鍔状の部分であるフェルールＦと、各管の隣り合うフェルールＦ，Ｆ同士を固定する締め具Ｃとで接続されている（図６に吐出側流路部５に関して示す）。フェルールＦは、各管の端部側が管軸方向に対する垂直面を有し、管軸方向の反対側が、径外位置よりも径内位置の方が肉厚となるようなテーパ面を有する形状とされている。なお、後述する一方側配管４２１，５２１と固定片５２３１とに設けられたフェルールＦも同じ形状を有している。固定管４１，５１と伸縮管４２，５２との接続は、このフェルールＦを用いた接続に限定されず、フランジ接続やねじ接続とすることもできる。
【００３２】
伸縮管４２，５２は、管軸方向の一方（本実施形態では右方）に位置する一方側配管４２１，５２１と、管軸方向の他方側（本実施形態では左方）に位置する他方側配管４２２，５２２と、一方側配管４２１，５２１と他方側配管４２２，５２２とに亘って設けられたストッパー４２３，５２３と、を備える。
【００３３】
一方側配管４２１，５２１と他方側配管４２２，５２２とは、管軸方向の一部範囲で重複している。この重複した部分では、一方側配管４２１，５２１の内径よりも他方側配管４２２，５２２の外径が小さく形成されている。つまり、重複した部分では他方側配管４２２，５２２の外部を一方側配管４２１，５２１が覆う。このため、一方側配管４２１，５２１と他方側配管４２２，５２２とを管軸方向にスライド移動できる。従って伸縮管４２，５２は、重複した部分における重複量に応じ、管軸方向に伸縮する。
【００３４】
ストッパー４２３，５２３は、伸縮管４２，５２において一方側配管４２１，５２１と他方側配管４２２，５２２とを管軸方向に不動に固定するために用いられ、固定片５２３１、シール部５２３２（なお、吸入側流路部４における固定片及びシール部は図示していないことから符号を付与していない。これらは、吐出側流路部５における固定片５２３１及びシール部５２３２と同一形状である）、締め具Ｃを備える。なお、一方側配管４２１，５２１の端部には鍔状の部分であるフェルールＦが設けられている。このフェルールＦの内周縁は周方向に沿うテーパ形状とされていて、この部分に後述するシール部（Ｏリング）Ｓが配置される。
【００３５】
吸入側流路部４における固定片と吐出側流路部５における固定片５２３１は、一方側配管４２１，５２１の端部に管軸方向で隣接する。各固定片はリング状であって、一方側配管４２１，５２１の端部と同一の形状をしている。各固定片は他方側配管４２２，５２２の外部に設けられる。各固定片の、一方側配管４２１，５２１側の端部には鍔状の部分であるフェルールＦが設けられている。
【００３６】
吸入側流路部４におけるシール部と吐出側流路部５におけるシール部５２３２とは、一方側配管４２１，５２１の端部（具体的にはフェルールＦ）と固定片５２３１（具体的にはフェルールＦ）との間に挟まれる。本実施形態の各シール部にはＯリングが用いられている。下記締め具Ｃにより一方側配管４２１，５２１のフェルールＦと各固定片のフェルールＦとが密着させられることに伴い、前記重複した部分における一方側配管４２１，５２１の内面と他方側配管４２２，５２２の外面との間の隙間が圧縮した各シール部により塞がれる。これにより、流体の伸縮管４２，５２から外部への漏れが阻止される。
【００３７】
締め具Ｃは、一方側配管４２１，５２１の端部（具体的にはフェルールＦ）及各固定片（具体的にはフェルールＦ）の径外に配置される。この締め具Ｃは、リング状で、内面側に周方向に沿う溝部が形成されている（図６参照）。この溝部は、フェルールＦが有するテーパ面に対応した内面形状を有している。締め具Ｃは、図３及び図４に示すように、周方向の一部に、径外方向へ折り曲げ可能なヒンジＣ１を有している。また、別の一部で、周方向に分断された部分を有している。この分断された部分は、一方側と他方側にわたってねじ部材Ｃ２が設けられており、ねじ部材Ｃ２を締め付けることで、前記分断された部分の隙間を縮めることができるようにされている。従って、ねじ部材Ｃ２を締め付けることで、径内方向への圧縮力を生じさせることができる。この圧縮力により、対向した２枚のフェルールＦ，Ｆを密着させることができる。つまり、一方側配管４２１，５２１の端部と固定片５２３１との隙間を圧縮することができる。なお、この締め具Ｃは、固定管４１，５１と伸縮管４２，５２との接続部分においても同じ物が用いられている。また、締め具Ｃは、吸入側流路部４及び吐出側流路部５において端部配管４３，５３及び端板を固定するためにも用いられている。
【００３８】
この伸縮管４２，５２において、一方側配管４２１，５２１と他方側配管４２２，５２２とは、図６で吐出側流路部５について示したように、管軸方向の一部範囲で重複していて、一方側配管４２１，５２１と他方側配管４２２，５２２とを管軸方向にスライド移動できる。そして、ストッパー４２３，５２３が、固定片５２３１、シール部５２３２、締め具Ｃから構成される。このため、吸入側流路部４及び吐出側流路部５が管軸方向に伸縮する構成を単純化できる。
【００３９】
そして、この構成の伸縮管４２，５２では、メンテナンスに際して、ねじ部材Ｃ２を緩め方向に回すことにより締め具Ｃを緩めると、一方側配管４２１，５２１と他方側配管４２２，５２２とを管軸方向にスライド移動させることができる。これによって、吸入側流路部４及び吐出側流路部５が管軸方向に伸縮する。よって、各流路部を短縮させると、隣り合うポンプ部３のうち一方を他方から切り離すことができる。このため、複数のポンプ部３…３のうち一部だけを他のポンプ部３から切り離して、個別のメンテナンスを行うことができる。
【００４０】
また、伸縮管４２，５２を隣り合う吸入部３２，３２または吐出部３３，３３の間に位置させることにより、吸入側流路部４及び吐出側流路部５の製造上の寸法公差を、従来の固定的な配管に比べて緩くできるため、製造が容易である。
【００４１】
以上、本発明につき一実施形態を取り上げて説明してきたが、本発明は、前記実施形態に限定されるものではなく、本発明の要旨を逸脱しない範囲で種々の変更が可能である。
【００４２】
例えば、吸入弁３２１及び吐出弁３３１に用いられる弁は、前記実施形態におけるディスク弁に限定されず、ボール弁等、他の形態を有する弁であってもよい。また、操作部は、弁の形状に合わせて形成することができる。
【符号の説明】
【００４３】
１…往復動ポンプ（ポンプ）、２…本体部、３…ポンプ部、４…吸入側流路部、５…吐出側流路部、２１…モータ、２２…ポンプシャフト、３１…ポンプ室、３１Ｓ…ポンプ室の内部空間、３２…吸入部、３３…吐出部、３Ｌ…操作部と吸入弁及び吐出弁の各々とを結ぶ線、４１…固定管（吸入側）、４２…伸縮管（吸入側）、４３…端部配管（吸入側）、４Ｌ…吸入側流路部の管軸方向に沿う線、５１…固定管（吐出側）、５２…伸縮管（吐出側）、５３…端部配管（吐出側）、５Ｌ…吐出側流路部の管軸方向に沿う線、３１１…ダイヤフラム、３２１…吸入弁、３２２…操作部（吸入側）、３３１…吐出弁、３３２…操作部（吐出側）、４２１…一方側配管（吸入側）、４２２…他方側配管（吸入側）、５２１…一方側配管（吐出側）、５２２…他方側配管（吐出側）、４２３…ストッパー（吸入側）、５２３…ストッパー（吐出側）、３１１１…接続部（ダイヤフラム）、３２１１…弁体（吸入側）、３２１２…弁座（吸入側）、３２１３…弁棒（吸入側）、３２１４…仕切部（吸入側）、３２１５…シール部（吸入側）、３２２１…ピン、３２２２…カバー、３３１１…弁体（吐出側）、３３１２…弁座（吐出側）、３３１３…弁棒（吐出側）、３３１４…仕切部（吐出側）、３３１５…シール部（吐出側）、３３２１…係合部、３３２２…貫通穴、３３２３…ボルト、５２３１…固定片（吐出側）、５２３２…シール部（吐出側）、Ｃ…締め具、Ｆ…フェルール
【図１】
0006850841.tif 000002
【図２】
0006850841.tif 000003
【図３】
0006850841.tif 000004
【図４】
0006850841.tif 000005
【図５】
0006850841.tif 000006
【図６】
0006850841.tif 000007